(57)【要約】【課題】スピーカ装着部材にスピーカを装着する際に、工具を使用することなくワンタッチで取り付け、かつ容易に取り外すことのできるスピーカの着脱機構を提供する。【解決手段】スピーカ装着部材に、フレームに装着したスピーカを着脱自在に取り付けるスピーカの着脱機構であって、フレームの少なくとも１箇所に係止クリップ５を装着するクリップ装着部を設け、係止クリップを装着してスピーカ装着部材の対応する係止部に取り付ける。係止クリップは、スピーカ装着部材への挿入方向に対して横方向に拡張／収縮し、両側面にスピーカ装着部材の係止部に係止するための一対の傾斜状突起５４、５５を備え、挿入面にクリップ装着部に固定するための固定部６５、背面にマイナスドライバを挿入して回動させたときに、当該係止クリップの幅を収縮させて係合を解除する挿入部６８を有することを特徴とする。【選択図】      図１
2013128194.tif 000002
【特許請求の範囲】
【請求項１】
スピーカ装着部材（１）に、フレーム（３）に装着したスピーカ（２）を着脱自在に取り付けるスピーカの着脱機構であって、
前記フレーム（３）の少なくとも１箇所に係止クリップ（５−１）を装着するクリップ装着部（３ａ）を設け、このクリップ装着部（３ａ）に係止クリップ（５−１）を装着して前記スピーカ装着部材（１）に設けた対応する係止部（１ａ）に取り付けるようにしてなり、
前記係止クリップ（５−１）は、前記スピーカ装着部材（１）への挿入方向に対して横方向に拡張／収縮し、両側面に前記スピーカ装着部材（１）の係止部（１ａ）に係止するための一対の傾斜状突起（５４、５５）を備え、挿入面に前記フレーム（３）のクリップ装着部（３ａ）に固定するための固定部（６５）、背面にマイナスドライバを挿入して回動させたときに、当該係止クリップ（５−１）の幅を収縮させて係合を解除する挿入部（６８）を有する
ことを特徴とするスピーカの着脱機構。
【請求項２】
前記係止クリップ（５−１）は、一方の側面に前記傾斜状突起（５４）を有する第１のクリップ部材（５１）と、前記第１のクリップ部材（５１）の傾斜状突起（５４）に対向する他方の側面に傾斜状突起（５５）を有する第２のクリップ部材（５２）と、前記第１、第２のクリップ部材（５１、５２）間に挟持され、これら第１、第２のクリップ部材（５１、５２）を横方向に拡張するように付勢する弾性部材（５３）と、前記第１、第２のクリップ部材（５１、５２）の嵌合面にそれぞれ対向して形成され、前記弾性部材（５３）を収容する収容部（５６、５７）とを備えることを特徴とする請求項１記載のスピーカの着脱機構。
【請求項３】
前記第２のクリップ部材（５２）の前記収容部（５７）の底面に立設された係合突起（５８ａ、５８ｂ）と、前記第１のクリップ部材（５１）の前記収容部（５６）の底面に形成され、前記係合突起（５８ａ、５８ｂ）と係合し、これら係合突起（５８ａ、５８ｂ）を横方向に摺動させるガイド窓（５９）と、このガイド窓（５９）の上面、下面に摺動方向に沿って形成され、前記係合突起（５８ａ、５８ｂ）の先端の係合部（５８ａ’、５８ｂ’）と係合する係合兼ガイド用のリブ（６０ａ、６０ｂ）とを備え、
前記弾性部材（５３）は前記係合突起（５８ａ、５８ｂ）を巻回するように装着され、一端が前記第１のクリップ部材（５１）に係止され、他端が前記第２のクリップ部材（５２）に係止され、一端と他端で前記第１、第２のクリップ部材（５１、５２）を横方向に拡張するように付勢するトーションバネであることを特徴とする請求項２記載のスピーカの着脱機構。
【請求項４】
前記第１のクリップ部材（５１）の挿入面に形成された第１の切欠部（６３）と、前記第２のクリップ部材（５２）の挿入面に形成され、前記第１のクリップ部材（５１）と嵌合されたときに対向する側壁で固定部（６５）を形成する第２の切欠部（６４）と、前記第１のクリップ部材（５１）の背面に形成された第３の切欠部（６６）と、前記第２のクリップ部材（５２）の背面に形成され、前記第１のクリップ部材（５１）と嵌合されたときにマイナスドライバの挿入部（６８）を形成する第４の切欠部（６７）とを備えることを特徴とする請求項３記載のスピーカの着脱機構。
【発明の詳細な説明】
【技術分野】
【０００１】
本発明は、スピーカの装着部材に工具を使用することなくワンタッチで取り付け、容易に取り外すことのできるスピーカの着脱機構に関する。
【背景技術】
【０００２】
自動車には、いわゆるカーオーディオが装備されているものが多く、通常、それらのスピーカは、例えば後部座席後方のリアパネル、前方座席の両側のドアの内張り部分、或いはダッシュボードなどに取り付けられている。このような車載用のスピーカにあっては、自動車の振動やドアの開閉によるショックが与えられてもスピーカがガタついたり、外れたりすることなく取り付ける必要があるため、ネジによる締結やリベットによる締結などが一般的である。
【０００３】
しかし、ネジによる締結は、取り付けが複雑で手間を要し（ネジを締めるのに工数を要する）、取り付け力にバラツキが発生しやすい。一方、リベットによる取り付けには特別な工具が必要になり、取り付け後は取り外しが困難（破壊しなければ取り外しはほぼ不可能）である。このため、取り付けミスに伴ったスピーカの再取り付けやスピーカの交換ができない。
【０００４】
このような問題を解決するために、例えば本出願人による特許文献１では、スピーカを装着するフレームに、ドアパネルへの取付用の弾力性係止部及び挿入係止片を一体成形することで部品点数が多くならないようにし、製造面、取扱いなどの便を計った「車載ドア用スピーカの取付構造」を提案している。
【０００５】
この特許文献１には、樹脂製のフレームの外周縁に弾力性係止部を設け、そのほぼ反対側の位置に少なくとも２以上の挿入係止片を設けた車載ドア用スピーカの取付構造が開示されている。上記挿入係止片と弾力性係止部は、フレームと一体成形されているとともに、弾力性係止部は材質による弾性を有する薄肉状の第１の片と第２の片とを備え、ほぼくの字状のクリップ部をなし、かつドアパネルにはスピーカを取り付けるための開口部が形成され、この開口部の外周縁には挿入される弾力性係止部をその弾性力を利用して係止させる切欠きが形成されている。
【０００６】
また、特許文献２には、取付基板に形成した放音孔を挟んで、互いに対向するようにボス及びＵ字状に形成された弾性片を設け、この放音孔に対向して配置されたスピーカのフレームを上記ボスにビスによって締め付け固定されたＬ字状の押え具及び上記弾性片の先端で押圧固定する「スピーカ取付装置」が記載されている。
【０００７】
上記特許文献１及び２の取付構造や取付装置によれば、１本のネジを締め込むことでスピーカを取り付けでき、一般的な複数のネジによる締結やリベットによる締結に比べて、取り付けの簡単化が図れ、取り付けミスに伴ったスピーカの再取り付けやスピーカの交換も可能となる。
【先行技術文献】
【特許文献】
【０００８】
【特許文献１】実開平７−４１２７号公報
【特許文献２】実開昭５４−６９３９号公報
【発明の概要】
【発明が解決しようとする課題】
【０００９】
ところで、上記特許文献１及び２の技術では、自動車の販売後の整備や点検の際にスピーカを脱着するような用途は考慮しておらず、脱着を繰り返す用途には向いていない。このため、自動車の生産段階でスピーカ装着部材にスピーカを装着する際に簡単に取り付けることができ、かつ自動車の整備や点検の際にスピーカを簡単に取り外し、終了後に容易に取り付けられるような着脱機構が望まれている。
【００１０】
本発明は、上記のことに鑑み提案されたもので、その目的とするところは、スピーカ装着部材にスピーカを装着する際に工具を使用することなくワンタッチで取り付けることができ、かつ容易に取り外すことのできるスピーカの着脱機構を提供することにある。
【課題を解決するための手段】
【００１１】
上記課題を解決するため、請求項１に係る本発明のスピーカの着脱機構は、スピーカ装着部材１に、フレーム３に装着したスピーカ２を着脱自在に取り付けるスピーカの着脱機構であって、前記フレーム３の少なくとも１箇所に係止クリップ５−１を装着するクリップ装着部３ａを設け、このクリップ装着部３ａに係止クリップ５−１を装着して前記スピーカ装着部材１に設けた対応する係止部１ａに取り付けるようにしてなり、前記係止クリップ５−１は、前記スピーカ装着部材１への挿入方向に対して横方向に拡張／収縮し、両側面に前記スピーカ装着部材１の係止部１ａに係止するための一対の傾斜状突起５４、５５を備え、挿入面に前記フレーム３のクリップ装着部３ａに固定するための固定部６５、背面にマイナスドライバを挿入して回動させたときに、当該係止クリップ５−１の幅を収縮させて係合を解除する挿入部６８を有することを特徴とする。
【００１２】
また、請求項２に係る発明は、請求項１記載のスピーカの着脱機構において、前記係止クリップ５−１は、一方の側面に前記傾斜状突起５４を有する第１のクリップ部材５１と、前記第１のクリップ部材５１の傾斜状突起５４に対向する他方の側面に傾斜状突起５５を有する第２のクリップ部材５２と、前記第１、第２のクリップ部材５１、５２間に挟持され、これら第１、第２のクリップ部材５１、５２を横方向に拡張するように付勢する弾性部材５３と、前記第１、第２のクリップ部材５１、５２の嵌合面にそれぞれ対向して形成され、前記弾性部材５３を収容する収容部５６、５７とを備えることを特徴とする。
【００１３】
更に、請求項３に係る発明は、請求項２記載のスピーカの着脱機構において、前記第２のクリップ部材５２の前記収容部５７の底面に立設された係合突起５８ａ、５８ｂと、前記第１のクリップ部材５１の前記収容部５６の底面に形成され、前記係合突起５８ａ、５８ｂと係合し、これら係合突起５８ａ、５８ｂを横方向に摺動させるガイド窓５９と、このガイド窓５９の上面、下面に摺動方向に沿って形成され、前記係合突起５８ａ、５８ｂの先端の係合部５８ａ’、５８ｂ’と係合する係合兼ガイド用のリブ６０ａ、６０ｂとを備え、前記弾性部材５３は前記係合突起５８ａ、５８ｂを巻回するように装着され、一端が前記第１のクリップ部材５１に係止され、他端が前記第２のクリップ部材５２に係止され、一端と他端で前記第１、第２のクリップ部材５１、５２を横方向に拡張するように付勢するトーションバネであることを特徴とする。
【００１４】
更にまた、請求項４に係る発明は、請求項３記載のスピーカの着脱機構において、前記第１のクリップ部材５１の挿入面に形成された第１の切欠部６３と、前記第２のクリップ部材５２の挿入面に形成され、前記第１のクリップ部材５１と嵌合されたときに対向する側壁で固定部６５を形成する第２の切欠部６４と、前記第１のクリップ部材５１の背面に形成された第３の切欠部６６と、前記第２のクリップ部材５２の背面に形成され、前記第１のクリップ部材５１と嵌合されたときにマイナスドライバの挿入部６８を形成する第４の切欠部６７とを備えることを特徴とする。
【発明の効果】
【００１５】
請求項１〜４記載の本発明では、フレームに設けたクリップ装着部に係止クリップを装着し、この係止クリップの一対の傾斜状突起をスピーカ装着部材の対応する係止部に押し込むことで、係止クリップの幅を収縮させて挿入し、所定の位置まで挿入すると傾斜状突起が拡張して係止することができる。よって、工具を用いることなく、フレームに装着したスピーカをスピーカ装着部材にワンタッチで取り付けることができる。また、係止クリップの背面に形成される挿入部にマイナスドライバを挿入して回動させることで、係止クリップの幅を収縮させて容易に取り外すことができる。これにより、スピーカ装着部材に、フレームに装着したスピーカを着脱自在に取り付けることができる。
【００１６】
従って、スピーカ装着部材にスピーカを装着する際に工具を使用することなくワンタッチで取り付けることができ、かつ容易に取り外すことのできるスピーカの着脱機構を提供できる。
【図面の簡単な説明】
【００１７】
【図１】本発明の実施例に係るスピーカの着脱機構で用いられる係止クリップを示す図である。
【図２】本発明の実施例に係るスピーカの着脱機構の全体の概略構成を示す図である。
【図３】図２の分解斜視図である。
【図４】図３におけるフレームを上方から見た平面図である。
【図５】図４に示したフレームへの係止クリップの装着について説明するためのもので、クリップ装着部近傍を拡大して示す斜視図である。
【図６】図５に示したフレームのクリップ装着部近傍に対応するスピーカ装着部材の一部を拡大して示す正面図である。
【図７】図５に示したフレームを、図６に示したスピーカ装着部材に取り付けた状態の背面図である。
【図８】フレームをスピーカ装着部材に取り付けた状態において、係止クリップがロックした場合とアンロックの場合を示す断面図である。
【実施例】
【００１８】
以下、本発明の一実施例を図面に基づいて説明する。
【００１９】
図１（ａ）〜（ｆ）はそれぞれ本発明の実施例に係るスピーカの着脱機構で用いられる係止クリップを示す図、図２（ａ）は本実施例に係るスピーカの着脱機構の全体の概略図、図３は図２（ａ）の分解斜視図、図４は図３におけるフレームを上方から見た平面図である。この着脱機構は、図２（ａ）及び図３に示すように、スピーカ装着部材１、スピーカ２、このスピーカ２が装着されるフレーム３、上記スピーカ装着部材１とフレーム３との間の止水とガタツキ防止用のシール部材４、及び上記スピーカ装着部材１にフレーム３に装着されたスピーカ２を取り付ける係止クリップ５−１〜５−３などで構成される。
【００２０】
上記スピーカ装着部材１は、例えば後部座席後方のリアパネル、前方座席の両側のドアの内張り部分、或いはダッシュボードなどに設けたスピーカ取付用の開口に装着されるものである。このスピーカ装着部材１は樹脂などで形成され、外周縁に上記スピーカ２を装着したフレーム３を取り付けるための係止部１ａ、１ｂ、１ｃ、中央部にスピーカ２の磁気回路部を収容するための開口１ｄを備えている。なお、１ｅ、１ｆ、１ｇ、１ｈ、１ｉはスピーカ装着部材１をスピーカ取付用の開口の周囲のリアパネル、ドアパネル或いはダッシュボードなどに装着するためのネジ孔である。
【００２１】
上記フレーム３には、スピーカ装着部材１の係止部１ａ、１ｂ、１ｃにそれぞれ対応する位置にクリップ装着部３ａ、３ｂ、３ｃが設けられている。また、このフレーム３の外周縁には、スピーカ２のボイスコイル用の配線６ａ、６ｂを外部に導出するための配線の固定部３ｄが設けられている。
【００２２】
図２（ｂ）に拡大して示すように、フレーム３におけるクリップ装着部３ａには、マイナスドライバを挿入するための円形の挿入窓３ｅが設けられている。この挿入窓３ｅの周囲のクリップ装着部３ａには、金型などにより取り外し時の回転方向を示す矢印が標記されている。上記挿入窓３ｅには係止クリップ５−１の底面（背面）が露出されており、係止クリップ５−１の底面の斜線で示す領域９にマイナスドライバを差し込んで時計回りに回動することで、この領域９が押し広げられて係止クリップ５−１の幅が収縮し、スピーカ装着部材１の係止部１ａとクリップ装着部３ａとのロック（係止状態）が解除されるようになっている。
【００２３】
次に、上記クリップ装着部３ａと係止部１ａの構造について詳しく説明する。クリップ装着部３ａ、３ｂ、３ｃはそれぞれ、図４に示すように係止クリップ５−１〜５−３を収容する枠状の収容部がスピーカ装着部材１に向かって立設された構造になっている。これらの収容部の上下面には三角形状の複数のリブ７ａ、７ｂがそれぞれ設けられ、収容部の補強、及びスピーカ装着部材１に装着したときの位置決めとガタツキ防止などを行っている。上記収容部の両側面には係止クリップ５−１〜５−３の挿入用の開口が設けられ、いずれか一方から係止クリップ５−１〜５−３をそれぞれ挿入するようになっている。
【００２４】
図１（ａ）は上記係止クリップ５（５−１〜５−３）の構成例を示す分解斜視図、図１（ｂ）、（ｃ）、（ｄ）はそれぞれ図１（ａ）の係止クリップ５を組み立てた状態で矢印Ａｂ、Ａｃ、Ａｄ方向から見た図である。また、図１（ｅ）は図１（ａ）の係止クリップ５を構成する第２のクリップ部材を矢印Ａｅ方向から見た側面図、図１（ｆ）は図１（ａ）の係止クリップ５を構成する第１のクリップ部材を矢印Ａｆ方向から見た側面図である。
【００２５】
この係止クリップ５は、第１、第２のクリップ部材５１、５２と、これら第１、第２のクリップ部材５１、５２を横方向に拡張するように付勢する弾性部材、本例ではトーションバネ５３とを備えている。上記第１、第２のクリップ部材５１、５２は、耐久性を考慮してＰＡ−ＧＦ５０、６６ナイロンなどの樹脂材を用いており、上記トーションバネ５３もやはり耐久性を考慮してＳＵＳ３０４などのバネ鋼を用いている。
【００２６】
上記第１のクリップ部材５１の一方の側面には傾斜状突起５４が形成されており、上記第２のクリップ部材５２における上記傾斜状突起５４に対向する他方の側面には傾斜状突起５５が形成されている。これらの傾斜状突起５４、５５は、挿入方向（図１（ａ）、（ｂ）では上方向）に対する緩やかなテーパ部５４ａ、５５ａと、逆方向の急峻なテーパ部５４ｂ、５５ｂとを備えている。上記テーパ部５４ａ、５５ａは、スピーカ装着部材１への挿入時に係止クリップ５をトーションバネ５３のバネ力に抗して内側に収縮させるためのものであり、上記テーパ部５４ｂ、５５ｂはスピーカ装着部材１への係止時にトーションバネ５３のバネ力を利用してガタツキを防止するためのものである。
【００２７】
上記第１、第２のクリップ部材５１、５２の嵌合面側にはそれぞれ、上記トーションバネ５３の収容部５６、５７が対向して形成されている。上記第１、第２のクリップ部材５１、５２は、図１（ｂ）に示すように傾斜状突起５４、５５が左右の両側面から突出するようにずらして嵌合される。
【００２８】
図１（ａ）及び（ｅ）に示すように、上記第２のクリップ部材５２の収容部５７の底面には一対の係合突起５８ａ、５８ｂが立設されている。これらの係合突起５８ａ、５８ｂにおける先端の外面は湾曲形成され、湾曲面の上下にそれぞれ鈎状の係合部５８ａ’、５８ｂ’が形成されている。また、図１（ａ）及び（ｆ）に示すように、上記第１のクリップ部材５１の収容部５６の底面には上記係合突起５８ａ、５８ｂを横方向に摺動させる長方形のガイド窓５９が形成されている。このガイド窓５９の上下に対向する側壁には、摺動方向に沿って上記係合突起５８ａ、５８ｂの先端の係合部５８ａ’、５８ｂ’と係合する係合兼ガイド用のリブ６０ａ、６０ｂが形成されている。
【００２９】
上記トーションバネ５３は、上記係合突起５８ａ、５８ｂを巻回して装着される。このトーションバネ５３の一端は、上記第２のクリップ部材５２における収容部５７の側壁と係止片６１との間に挟持されて係止され、他端は上記第１のクリップ部材５１の係止柱６２に係止される。この係止柱６２は外形が四角柱状であり、内部は円柱状の中空になっている。これによって、トーションバネ５３は、一端と他端で上記第１、第２のクリップ部材５１、５２を横方向に拡張するように付勢する。
【００３０】
組立にあたっては、第２のクリップ部材５２側の係合突起５８ａ、５８ｂを第１のクリップ部材５１のガイド窓５９に挿入する。この場合、各係合突起５８ａ、５８ｂの先端の湾曲面をガイド窓５９の上面、下面に当接させて押し込むことで、係合突起５８ａ、５８ｂは、その材質（樹脂）に起因する弾性によって内側に撓み、ガイド窓５９の外側に達すると復元し、係合部５８ａ’、５８ｂ’がリブ６０ａ、６０ｂに係止される。これによって、抜けが防止され、第１、第２のクリップ部材５１、５２は一体化される。また、リブ６０ａ、６０ｂは、摺動用のガイドになっており、これらのリブ６０ａ、６０ｂに沿って横方向に摺動可能になっている。
【００３１】
上記第１のクリップ部材５１の上面（スピーカ装着部材１への挿入面）には第１の切欠部６３が形成され、上記第２のクリップ部材５２の上面には第２の切欠部６４が形成されている。そして、上記第１、第２のクリップ部材５１、５２が嵌合されたときに、図１（ｃ）に示すように上面に上記第１の切欠部６３の一方の側壁６３ａと、上記第２の切欠部６４の上記側壁６３ａに対向する側壁６４ａとの間に、図１（ｂ）に示すような固定部６５が形成される。
【００３２】
また、上記第１のクリップ部材５１の下面（背面）には第３の切欠部６６が形成され、上記第２のクリップ部材５２の下面には第４の切欠部６７が形成されている。これらの切欠部６６、６７により、上記第１、第２のクリップ部材５１、５２を嵌合したときに、図１（ｄ）に示すように上記第３の切欠部６６の一方の側壁６６ａと、上記第４の切欠部６７の上記側壁６６ａに対向する側壁６７ａとの間に、図１（ｂ）に示すようなマイナスドライバの挿入部６８が形成される。この挿入部６８にマイナスドライバを挿入して時計回りに回動すると、第１のクリップ部材５１が右方向、第２のクリップ部材５２が左方向に移動して挿入部６８の幅が広がり、係止クリップ５の幅（傾斜状突起５４、５５間の幅）が収縮する。
【００３３】
このように、係止クリップ５は、スピーカ装着部材１への挿入方向に対して横方向に拡張／収縮するようになっており、傾斜状突起５４、５５が上記スピーカ装着部材１の係止部１ａ、１ｂ、１ｃに係止される。そして、この係止クリップ５は、挿入面に上記フレーム３のクリップ装着部３ａに固定するための固定部６５、背面にマイナスドライバを挿入して回動させたときに押し広げられ、この係止クリップ５の幅を収縮させて係合を解除するマイナスドライバの挿入部６８を有する。
【００３４】
図５は、上記図４に示したフレーム３への係止クリップ５の装着について説明するためのもので、クリップ装着部３ａの近傍を拡大して示している。フレーム３のクリップ装着部３ａ（枠状の収容部）には中央に円形の孔が形成されたスリット状の挿入口８が形成されており、正面側にはマイナスドライバの挿入窓３ｅが形成されている。
【００３５】
係止クリップ５は矢印Ａｇで示すようにフレーム３のクリップ装着部３ａの一方の側面から横方向に挿入される。そして、上記挿入口８に係止クリップ５を係止するための係止部材１０が矢印Ａｈ方向に挿入され、係止部材１０の背面に立設された係止片１０ａが挿入口８を介して係止クリップ５の固定部６５に挿入されることで、係止クリップ５の両端の傾斜状突起５４、５５が収容部から突出した状態で固定される。
【００３６】
図６は、図５に示したクリップ装着部３ａ近傍に対応するスピーカ装着部材１の一部を拡大して示す正面図である。スピーカ装着部材１には、フレーム３のクリップ装着部３ａ近傍に対応する位置にそれぞれフランジ１ｊが形成されており、このフランジ１ｊに上記フレーム３の枠状の収容部が挿入される嵌合窓６９が形成されている。この嵌合窓６９の上側面と下側面にはそれぞれ、上記収容部に形成されているリブ７ａ、７ｂが挿入される嵌合溝７０ａ、７０ｂが設けられている。
【００３７】
そして、上記図３に示したように、スピーカ装着部材１の係止部１ａ、１ｂ、１ｃに、止水用のシール部材４を介して、クリップ装着部３ａ、３ｂ、３ｃにそれぞれ係止クリップ５−１〜５−３を挿入したフレーム３を位置合わせして押し込んで取り付ける。この際、係止クリップ５−１〜５−３は、テーパ部５４ａ、５５ａが嵌合窓６９の両側面に押し付けられることでバネ力に抗して内側に移動し、傾斜状突起５４、５５の先端が嵌合窓６９に達するとバネの弾発力により復元し、スピーカ装着部材１の嵌合窓６９の両側面に係止クリップ５のテーパ部５４ｂ、５５ｂが係合する。よって、工具を用いることなくワンタッチでスピーカ装着部材１に、スピーカ２を装着したフレーム３を取り付けることができる。
【００３８】
図７は、この状態を背面側から見て示しており、スピーカ装着部材１の嵌合窓６９の両側面に、収容部の両端から突出した係止クリップ５の傾斜状突起５４、５５が係合することで、スピーカ装着部材１にフレーム３が取り付けられている。
【００３９】
図８（ａ）、（ｂ）はそれぞれ、図７に示したフレーム３をスピーカ装着部材１に取り付けた状態において、係止クリップ５がロックされた場合とアンロックの場合を示す断面図である。図８（ａ）に示すように、係止クリップ５の第１のクリップ部材５１の傾斜状突起５４と第２のクリップ部材５２の傾斜状突起５５がそれぞれスピーカ装着部材１の嵌合窓６９の両側面から左右に突出して係止されることでロックされる。
【００４０】
一方、マイナスドライバを挿入部６８に挿入して時計回りに回動すると、図８（ｂ）に示すように係止クリップ５の幅が収縮し、第１のクリップ部材５１の傾斜状突起５４と第２のクリップ部材５２の傾斜状突起５５がスピーカ装着部材１の嵌合窓６９の両側面より内側になることでアンロックとなって、フレーム３がスピーカ装着部材１から外れる。
【００４１】
上記のような構成によれば、フレーム３に設けたクリップ装着部３ａ、３ｂ、３ｃに係止クリップ５−１、５−２、５−３を装着し、これらの係止クリップ５−１、５−２、５−３の一対の傾斜状突起５４、５５をスピーカ装着部材１の係止部１ａ、１ｂ、１ｃに押し込むことで、工具を用いることなくフレーム３に装着したスピーカ２をワンタッチでスピーカ装着部材１に取り付けることができる。しかも、係止部１ａ、１ｂ、１ｃ、クリップ装着部３ａ、３ｂ、３ｃ、及び係止クリップ５−１、５−２、５−３が全て同一構成であるので、取り付け力にバラツキが発生し難くできる。
【００４２】
また、係止クリップ５−１、５−２、５−３の背面に形成される挿入部６８にマイナスドライバを挿入して時計回りに回動させることで、係止クリップ５−１、５−２、５−３の幅を収縮させて容易に取り外すことができる。このように、フレーム３に装着したスピーカ２をスピーカ装着部材１に着脱自在に取り付けることができる。
【００４３】
更に、係止クリップ５−１〜５−３の傾斜状突起５４、５５における、スピーカ装着部材１の嵌合窓６９との係合面にテーパ部５４ｂ、５５ｂを設けているので、係止時のガタツキを防止できる。
【００４４】
更にまた、止水用のシール部材４の外側に係止クリップ５−１〜５−３を配置するので、耐水性の低下を抑制できる。
【００４５】
従って、スピーカ装着部材にスピーカを装着する際に特別な工具を使用することなくワンタッチで取り付けることができ、かつ容易に取り外すことができる。これによって、スピーカの着脱に関する利便性を飛躍的に向上させたスピーカの着脱機構を提供できる。
【００４６】
以上実施例を用いて本発明の説明を行ったが、本発明は上記実施例に限定されるものではなく、実施段階ではその要旨を逸脱しない範囲で種々に変形することが可能である。例えば、上記実施例では３箇所を係止クリップで固定する例を示したが、取り付け場所や必要とする取り付け強度などに応じて１箇所や２箇所、或いは４箇所以上を固定するようにしても良い。１箇所で固定する場合には、例えば図２及び図３におけるフレーム３のクリップ装着部３ｂ、３ｃに代えて挿入係止片を設け、スピーカ装着部１にこれらの挿入係止片を受ける受け部を設ければ良い。
【００４７】
また、係止クリップ５−１〜５−３の傾斜状突起５４、５５における、スピーカ装着部材１の嵌合窓６９との係合面にテーパ部５４ｂ、５５ｂを設けて係止時のガタツキを防止するようにしたが、シール部材４の厚さや材質を適宜選択することによりテーパ部を設けなくてもガタツキを防止できる。
【符号の説明】
【００４８】
１    スピーカ装着部材
１ａ、１ｂ、１ｃ    係止部
１ｄ    開口
１ｅ、１ｆ、１ｇ、１ｈ、１ｉ    ネジ孔
１ｊ    フランジ
２    スピーカ
３    フレーム
３ａ、３ｂ、３ｃ    クリップ装着部
３ｄ    固定部
３ｅ    挿入窓
４    シール部材
５、５−１〜５−３    係止クリップ
６ａ、６ｂ    配線
７ａ、７ｂ    リブ
８    挿入口
９    領域
１０    係止部材
１０ａ    係止片
５１    第１のクリップ部材
５２    第２のクリップ部材
５３    トーションバネ（弾性部材）
５４、５５    傾斜状突起
５４ａ、５４ｂ、５５ａ、５５ｂ    テーパ部
５６、５７    収容部
５８ａ、５８ｂ    係合突起
５８ａ’、５８ｂ’    係合部
５９    ガイド窓
６０ａ、６０ｂ    係合兼ガイド用のリブ
６１    係止片
６２    係止柱
６３、６４、６６、６７    切欠部
６３ａ、６４ａ、６６ａ、６７ａ    側壁
６５    固定部
６８    挿入部
６９    嵌合窓
７０ａ、７０ｂ    嵌合溝
Ａｂ、Ａｃ、Ａｄ、Ａｅ、Ａｆ、Ａｇ、Ａｈ    矢印
【図１】
2013128194.tif 000003
【図２】
2013128194.tif 000004
【図３】
2013128194.tif 000005
【図４】
2013128194.tif 000006
【図５】
2013128194.tif 000007
【図６】
2013128194.tif 000008
【図７】
2013128194.tif 000009
【図８】
2013128194.tif 000010